(57)【要約】【課題】回転軸や作動ピンなどを含めた装置全体の耐久性を向上させる。【解決手段】羽根装置１は、開口２Ａを有するベース部材２と、開口２Ａ上に進入自在な羽根部材３とを備え、羽根部材３の基端部３Ｂには補強部材４が一体に取り付けられ、ベース部材２に設けられた回転軸２０は、羽根部材３に接触することなく、補強部材４に軸支されている。【選択図】図１
2017134239.tif 000002
【特許請求の範囲】
【請求項１】
開口を有するベース部材と、前記開口上に進入自在な羽根部材とを備え、
前記羽根部材の基端部には補強部材が一体に取り付けられ、
前記ベース部材に設けられた回転軸は、前記羽根部材に接触することなく、前記補強部材に軸支されていることを特徴とする羽根装置。
【請求項２】
前記補強部材には長孔が設けられ、
前記ベース部材に設けられたアクチュエータの作動ピンは、前記羽根部材に接触することなく、前記補強部材の長孔に係合していることを特徴とする請求項１記載の羽根装置。
【請求項３】
前記基端部には、前記作動ピンが挿通する長孔が設けられ、
前記作動ピンは、前記基端部の長孔の内縁に接触することなく、前記補強部材の長孔に沿って摺動することを特徴とする請求項２記載の羽根装置。
【請求項４】
前記羽根部材の基端部には、前記回転軸が挿通する孔が形成され、
前記回転軸は、前記孔の内縁に接触することなく前記補強部材の軸受孔に軸支されていることを特徴とする請求項１〜３のいずれか１項に記載の羽根装置。
【請求項５】
前記補強部材の外縁は、前記羽根部材に接触することなく、前記ベース部材に設けられるストッパに当たるストッパ止めとなることを特徴とする請求項１〜４のいずれか１項記載の羽根装置。
【請求項６】
前記補強部材は前記ベース部材の表面と部分的に接触する突起部を備えることを特徴とする請求項１〜５のいずれか１項に記載の羽根装置。
【請求項７】
前記補強部材は、前記羽根部材とは異なる材料で形成されていることを特徴とする請求項１〜６のいずれか１項に記載の羽根装置。
【請求項８】
前記補強部材は樹脂材であり、前記羽根部材は金属材であることを特徴とする請求項１〜７のいずれか１項に記載の羽根装置。
【請求項９】
請求項１〜８のいずれか１項に記載の羽根装置を備えたカメラ。
【請求項１０】
請求項１〜８のいずれか１項に記載の羽根装置を備えた電子機器。
【発明の詳細な説明】
【技術分野】
【０００１】
本発明は、カメラなどの光学機器に用いられる羽根装置に関するものである。
【背景技術】
【０００２】
ベース部材（地板）の開口を通る光や熱の遮蔽や調整を行う羽根装置は、シャッタ、絞り、光学フィルタなどとして、カメラを含む各種光学機器で用いられている。
【０００３】
羽根装置における羽根部材は、ベース部材の開口上に進入する羽根部と、回転軸や作動ピンに係合する基端部を備えている。従来の羽根装置としては、羽根部材の基端部に補強部材が取り付けられ、薄肉の羽根部材に対して厚肉の補強部材を取り付けることで、回転軸の軸孔や作動ピンの係合孔が形成されている羽根部材の基端部を補強して、羽根部材の耐久性を高めたものが知られている（下記特許文献１参照）。
【先行技術文献】
【特許文献】
【０００４】
【特許文献１】特開平９−１１３９５４号公報
【発明の概要】
【発明が解決しようとする課題】
【０００５】
前述した従来の羽根装置は、補強部材の取り付けによって羽根部材の基端部が変形するのを抑止することはできるが、補強部材の軸孔と羽根部材の軸孔にずれが生じると、羽根部材が直接回転軸や作動ピンに接触することになる。羽根部材は、一般に駆動力の省エネ化を図るために軽量化が図られており、通常１００分の数ｍｍ程度の厚さになっているので、この薄厚の羽根部材が直接回転軸などに接触すると、回転軸などに局部的な切れ込みが生じることになって、回転軸などの耐久性が悪化することになる。
【０００６】
本発明は、このような事情に対処することを課題としており、回転軸や作動ピンなどを含めた装置全体の耐久性を向上させることを課題としている。
【課題を解決するための手段】
【０００７】
このような課題を解決するために、本発明による羽根装置は、開口を有するベース部材と、前記開口上に進入自在な羽根部材とを備え、前記羽根部材の基端部には補強部材が一体に取り付けられ、前記ベース部材に設けられた回転軸は、前記羽根部材に接触することなく、前記補強部材に軸支されている。
【図面の簡単な説明】
【０００８】
【図１】本発明の実施形態に係る羽根装置の要部を示す断面図である。
【図２】本発明の実施形態に係る羽根装置の一例を示した平面図である。
【図３】本発明の実施形態に係る羽根装置における羽根部材の基端部を示した拡大平面図である。
【図４】本発明の実施形態に係る羽根装置の他の構成例を示した平面図である。
【図５】本発明の実施形態に係る羽根装置の他の構成例を示した断面図である（（ａ）が突起部を補強部材の片面側に備える例、（ｂ）が突起部を補強部材の両面側に備える例を示している。）。
【図６】本発明の実施形態に係る羽根装置の他の例を示した説明図である。
【図７】本発明の実施形態に係る羽根装置を備えたカメラ（電子機器）を示した説明図である。
【発明を実施するための形態】
【０００９】
以下、図面を参照して本発明の実施形態を説明する。各図の説明において、共通する部位には同一符号を付して重複説明を適宜省略する。
【００１０】
図１に示すように、羽根装置１は、ベース部材２と羽根部材３を備えている。ベース部材２は、開口２Ａを有しており、このベース部材２には、表面２Ｂから突出する回転軸２０が設けられている。羽根部材３は、開口２Ａ上に進入自在な羽根部３Ａと、ベース部材２に軸支される基端部３Ｂを備えている。基端部３Ｂには補強部材４が一体に取り付けられている。
【００１１】
羽根部材３は、薄厚の板状部材であり、開口２Ａ上に進入して開口２Ａの全体又は一部を覆うことで、開口２Ａを通過する光や熱を遮蔽する機能を有しており、その機能に応じて、金属材、ガラス材、プラスチック材などで形成されている。羽根部材３の機能としては、シャッタ、絞り、光学フィルタなどを一例として挙げることができる。
【００１２】
補強部材４は、羽根部材３とは異なる材料で形成されている。補強部材４は、羽根部材３の基端部３Ｂに一体に取り付け、羽根部材３の厚さより肉厚に形成されている。羽根部材３が金属材である場合には、補強部材４は樹脂材で形成することができる。補強部材４は、羽根部材３の材料に応じて、例えば、インサート成形、アウトサイト成形、ダイキャスト成形などで一体成形することができる。
【００１３】
羽根部材３の基端部３Ｂには、ベース部材２に設けられる回転軸２０が挿通する孔３０が形成されている。これに対して、孔３０と重なるように補強部材４には軸受孔４Ａが設けられている。そして、回転軸２０は、羽根部材３の孔３０の内縁には接触することなく、補強部材４の軸受孔４Ａに軸支されている。
【００１４】
このような羽根装置１によると、回転軸２０が薄厚の羽根部材３に形成されている孔３０の内縁に接触することなく、羽根部材３を軸支することができるので、回転軸２０に羽根部材３の孔３０の内縁が接触することによる局部的な切れ込みなどが生じることを抑止することができ、回転軸２０を含めた羽根装置１の耐久性を高めることができる。また、補強部材４を靱性の高い樹脂材などで形成することで、羽根部材３の基端部３Ｂを補強することができると共に、回転軸２０との接触抵抗を小さくすることができ、羽根装置１の駆動エネルギーの省エネ化が可能になる。
【００１５】
図２及び図３は、羽根装置１の具体的な構成例を示している。図示の羽根装置１は、開口２Ａを有するベース部材２と、ベース部材２の表面２Ｂ側にて開口２Ａ上に進入自在な羽根部材３と、ベース部材２の背面側に設けられ羽根部材３を駆動するアクチュエータ５を備えている。この羽根装置１は、アクチュエータ５の駆動力によって羽根部材３が矢印に示すように駆動されて、羽根部材３は、開口２Ａ上への移動と開口２Ａからの退避を行う。
【００１６】
羽根部材３の基端部３Ｂには、ベース部材２に設けられる回転軸２０が挿通する孔３０と、アクチュエータ５の作動ピン５Ａが挿通する長孔３１が設けられている。基端部３Ｂに一体に取り付けられた補強部材４には、軸受孔４０と作動ピン５Ａを係合する長孔４１が設けられている。
【００１７】
そして、回転軸２０は、孔３０の内縁に接触することなく補強部材４の軸受孔４０に軸支され、作動ピン５Ａは、基端部３Ｂの長孔３１に接触することなく補強部材４の長孔４１に沿って摺動するように係合されている。
【００１８】
このような羽根装置１によると、回転軸２０や作動ピン５Ａが薄厚の羽根部材３に形成される孔３０や長孔３１の内縁に接触することなく、羽根部材３を駆動することができるので、回転軸２０や作動ピン５Ａに羽根部材３の孔３０や長孔３１の内縁が接触することによる局部的な切れ込みが生じることを抑止することができ、回転軸２０や作動ピン５Ａを含めた羽根装置１の耐久性を高めることができる。また、補強部材４を靱性の高い樹脂材などで形成することで、羽根部材３の基端部３Ｂを補強することができると共に、回転軸２０や作動ピン５Ａとの接触抵抗を小さくすることができ、羽根装置１の駆動エネルギーの省エネ化が可能になる。
【００１９】
また、図２及び図３に示した羽根装置１は、ベース部材２の表面２Ｂにストッパ２１が設けられている。そして、補強部材４の外縁は、ストッパ２１に当たるストッパ止め４２になっている。ストッパ止め４２は、羽根部材３の外縁に対して外側に形成されているので、羽根部材３の外縁がストッパ２１に接触することなく、羽根部材３をストッパ２１にて止めることができる。これによると、羽根部材３がストッパ２１から受ける衝突荷重を抑制することができ、羽根部材３の耐久性を高めることができる。
【００２０】
図４は、羽根装置１の他の構成例を示している。図示の羽根装置１は、羽根部材３が第１羽根部材３Ｘと第２羽根部材３Ｙの２枚構成になっており、第１羽根部材３Ｘと第２羽根部材３Ｙのそれぞれの基端部３Ｂに補強部材４が一体に取り付けられている。この例では、第１羽根部材３Ｘが、ベース部材２の開口２Ａに進入する絞り開口３２を有して絞りとして機能するものであり、第２羽根部材３Ｙが、開口２Ａの全体又は一部を遮蔽するシャッタとして機能するものである。第１羽根部材３Ｘと第２羽根部材３Ｙは、各々の羽根部３Ａが開口２Ａ上で重なることで、開口２Ａに重なる絞り開口３２の透過面積を可変に調整して、絞り開口３２を透過する光や熱の透過量を調整自在にしたものである。
【００２１】
この例においても、前述した例と同様に、回転軸２０と作動ピン５Ａは、それぞれ補強部材４の軸受孔４０と長孔４１で積極的に支持されていて、羽根部材３の孔３０や長孔３１の内縁には接触しない構造になっている。これによって、前述した例と同様の効果を得ることができる。
【００２２】
図５は、羽根装置１の他の例を示している。この例では、羽根部材３の基端部３Ｂに一体に設けられる補強部材４がベース部材２の表面２Ｂと部分的に接触する突起部４３を備えている。このような突起部４３を設けることで、補強部材４がベース部材２の表面２Ｂ上を摺動する際の摺動抵抗を低減することができる。突起部４３は、図５（ａ）に示すように、補強部材４の片面側のみに設けても良いし、図５（ｂ）に示すように、補強部材４の両面側に設けて、羽根部材３を覆う蓋部材（図示省略）との摺動抵抗を低減することもできる。図５（ｂ）において羽根部材３側に設けられる突起部４３は、羽根部材３の開口３Ｐを貫通して外側に向けて突出するように成形される。
【００２３】
図６は、羽根装置１の他の構成例を示してる。図示の例は、羽根部材３の基端部３Ｂには補強部材４が一体に取り付けられているが、補強部材４は、基端部３Ｂから外側に延設された部分に軸受孔４０と長孔４１を備えている。そして、ベース部材２に設けられる回転軸２０が補強部材４の軸受部４０に軸支され、作動ピン５Ａが補強部材４の長孔４１に係合している。この例では、羽根部材３の基端部３Ｂには、孔や長孔は形成されていない。この例においても、回転軸２０や作動ピン５Ａに羽根部材３を接触させることなく、補強部材４によって回転軸２０や作動ピン５Ａを支持することで、羽根装置１全体の耐久性を高めることができる。
【００２４】
以上説明したような本発明の実施形態に係る羽根装置１は、カメラ用、特に赤外線カメラ用として有効に採用することができるが、これに限らず、光学センサへの入射光量の調整など、各種の電子機器に採用することができる。図７は、羽根装置１が装備されたカメラ１００の概略構成を示している。羽根装置１は、シャッタ、絞り、光学フィルタとして、カメラ１００の一部に組み込むことができる。図示の例では、カメラ１００のレンズ１００Ｌ間に羽根装置１を配置した例を示しているが、これに限らず用途に応じて、レンズ１００Ｌの前側やレンズ１００Ｌと撮像素子１００Ｐとの間などに羽根装置１を配置することができる。このような羽根装置１を備えたカメラ１００は、作動部品である羽根装置１の高い耐久性によって、長期間に亘って高品質の撮影を持続することが可能になる。
【００２５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２６】
１：羽根装置，
２：ベース部材，２Ａ：開口，２Ｂ：表面，
３：羽根部材，３Ａ：羽根部，３Ｂ：基端部，３０：孔，３１：長孔，
４：補強部材，４Ａ，４０：軸受孔，４１：長孔，
２０：回転軸，２１：ストッパ，
５：アクチュエータ，５Ａ：作動ピン，１００：カメラ（電子機器）
【図１】
2017134239.tif 000003
【図２】
2017134239.tif 000004
【図３】
2017134239.tif 000005
【図４】
2017134239.tif 000006
【図５】
2017134239.tif 000007
【図６】
2017134239.tif 000008
【図７】
2017134239.tif 000009